(57)【要約】【課題】容易かつ均一に施工できる、タイルの取付構造を提供する。【解決手段】壁面に配設したレールにタイルを嵌合して取り付ける、タイルの取付構造であって、前記レールは、前記壁面に固定する取付基部と、前記取付基部に平行な嵌合片と、前記取付基部と前記嵌合片とを連結するリブと、からなり、前記タイルの裏面には、前記レールの前記嵌合片を収納する凹部を形成し、前記レールの前記嵌合片の前記リブより上部の上嵌合片を前記タイルの前記凹部の入口上部の上嵌合部に嵌合するとともに、前記レールの前記嵌合片の前記リブより下部の下嵌合片を前記タイルの前記凹部の入口下部の下嵌合片に嵌合することを特徴とする、タイルの取付構造。【選択図】図１
2019065644.tif 000002
【特許請求の範囲】
【請求項１】
壁面に配設したレールにタイルを嵌合して取り付ける、タイルの取付構造であって、
前記レールは、前記壁面に固定する取付基部と、前記取付基部に平行な嵌合片と、前記取付基部と前記嵌合片とを連結するリブと、からなり、
前記タイルの裏面には、前記レールの前記嵌合片を収納する凹部を形成し、
前記レールの前記嵌合片の前記リブより上部の上嵌合片を前記タイルの前記凹部の入口上部の上嵌合部に嵌合するとともに、前記レールの前記嵌合片の前記リブより下部の下嵌合片を前記タイルの前記凹部の入口下部の下嵌合片に嵌合することを特徴とする、タイルの取付構造。
【請求項２】
請求項１に記載のタイルの取付構造において、
前記タイルは倹飩式に前記レールに嵌合することを特徴とする、タイルの取付構造。
【発明の詳細な説明】
【技術分野】
【０００１】
本発明は、建物の壁仕上げに用いるタイルの取付構造に関するものである。
【背景技術】
【０００２】
建物の躯体壁面にタイルを配置し、タイルによって外装仕上げを行う工法として、カーニバル工法が知られている。
カーニバル工法は、壁面にステンレス製のレールを配置し、タイルの裏足とレールとを嵌合して配置するものである。
タイルを嵌合する際には、裏足の上側をレールの上凸部に係合して、レール下部の弾性を利用して裏足の下側をレールに嵌合する（図７）。
【０００３】
また、タイルに嵌合金具を設けて、金物同士を嵌合することで評価を受けることができる壁構造も開発されている。
【先行技術文献】
【特許文献】
【０００４】
【特許文献１】特開２０１４−２０１８７７号公報
【発明の概要】
【発明が解決しようとする課題】
【０００５】
しかし、従来のカーニバル工法やタイルに嵌合金具を設ける壁構造には、以下のような課題があった。
（１）カーニバル工法の場合、焼き上がったタイルの裏足（大小やそり等）の形状によってがたつきが生じたり、レールと嵌合しにくかったりする為、メーカーや施工者にとって、製作精度や施工の効率面で課題があった。
（２）嵌合金具を設ける壁構造は、タイルに取付た嵌合金具をレールに嵌合してスライドさせるものであり、作業性が悪い。
【０００６】
本発明の目的は、容易かつ均一に施工できる、タイルの取付構造を提供することを目的とする。
【課題を解決するための手段】
【０００７】
上記目的を達成するためになされた本願の第１発明は、壁面に配設したレールにタイルを嵌合して取り付ける、タイルの取付構造であって、前記レールは、前記壁面に固定する取付基部と、前記取付基部に平行な嵌合片と、前記取付基部と前記嵌合片とを連結するリブと、からなり、前記タイルの裏面には、前記レールの前記嵌合片を収納する凹部を形成し、前記レールの前記嵌合片の前記リブより上部の上嵌合片を前記タイルの前記凹部の入口上部の上嵌合部に嵌合するとともに、前記レールの前記嵌合片の前記リブより下部の下嵌合片を前記タイルの前記凹部の入口下部の下嵌合片に嵌合することを特徴とする、タイルの取付構造を提供する。
本願の第２発明は、第１発明のタイルの取付構造において、前記タイルは倹飩式に前記レールに嵌合することを特徴とする、タイルの取付構造を提供する。
【発明の効果】
【０００８】
本発明は、上記した課題を解決するための手段により、次のような効果の少なくとも一つを得ることができる。
（１）慳貪式のため、誰でも容易に、均一にタイルを固定することができる。
（２）モルタルを用いない乾式工法のため、構造の重量が軽くなり、モルタルの施工不良や剥離のおそれがない。
（３）モルタルを用いない乾式工法のため、定期打診点検を行う必要がない。
【図面の簡単な説明】
【０００９】
【図１】本発明の壁構造の説明図
【図２】タイルとレールの嵌合状態の説明図
【図３】タイルとレールの嵌合方法の説明図
【図４】その他実施例にかかるタイルとレールの嵌合状態の説明図（１）
【図５】その他実施例にかかるタイルとレールの嵌合状態の説明図（２）
【図６】その他実施例にかかるタイルとレールの嵌合状態の説明図（３）
【図７】従来のカーニバル工法の説明図
【発明を実施するための形態】
【００１０】
以下、図面を参照しながら本発明の実施の形態について説明する。
【実施例】
【００１１】
（１）壁構造の概要
本発明の壁構造は、建物の壁仕上げをタイルにより行うものである。
タイル１は、建物の壁面Ｗに固定したレール２に嵌合することで、建物の壁面Ｗに固定する（図１）。
【００１２】
（２）タイルの構成
タイル１は平面視矩形の板体である。
タイル１の裏面には、レール２に嵌合する凹部１１を設ける。
凹部１１は内部にレール２に嵌合する空間を有しており、タイル１裏面側の凹部１１入口には、入口上側から下方に突設する上嵌合部１２と、入口下側から上方に突設する下嵌合部１３とを形成する。
【００１３】
（３）レール
レール２は建物の壁面Ｗに取り付ける部材である。
レール２はアルミやステンレスからなる。
レール２は従来のカーニバル工法のように、レール２の弾性を利用して施工するものではないため、レール２の厚さは任意に選択できる。
レール２は、断面略Ｈ字状であり、一方のフランジであり壁面Ｗに固定する取付基部２１、他方のフランジである嵌合片２２、および取付基部２１と嵌合片２２を連結するリブ２３からなる（図２）。
レール２は取付ビス３等により壁面Ｗに固定する。このとき、従来知られているように、レール２を取付ビス３等を支点として壁面Ｗに対して回動可能に取り付けると、例えば壁面Ｗがパネルからなる場合には、パネルのロッキングに追従してレール２が回動する。
【００１４】
（２．１）嵌合片による嵌合
嵌合片２２は、リブ２３より上部の上嵌合片２２１と、リブ２３より下部の下嵌合片２２２と、からなる。
嵌合片２２はタイル１の裏面の凹部１１に収まり、上嵌合片２２１が上嵌合部１２と嵌合し、下嵌合片２２２が下嵌合部１３と嵌合し、タイル１がレール２から外れることがない。
金属製のレール２の嵌合片２２によりタイル１を嵌合するため、定期的な打診点検が不要となる。
レール２の嵌合片２２にタイル１を嵌合するため、壁構造の表面にレール２が露出することがない。
【００１５】
（３）レールへの嵌合
タイル１のレール２への嵌合は以下の手順により、慳貪式にて行う。
予め壁面Ｗには取付ビス３を介してレール２を配設する。
そして、レール２の下嵌合片２２２と取付基部２１との間にタイル１の下嵌合部１３を嵌合していく（図３（ａ））。タイル１の、下嵌合片２２２が位置する凹部１１の底部から上嵌合部１２までの長さは、レール２の嵌合片２２の長さより短くする。
次に、下嵌合部１３をレール２に嵌合した後、上嵌合部１２を上嵌合片２２１の上方を通過させて、タイル１を壁面Ｗと平行になるようにする（図３（ｂ））。
そして、タイル１を壁面Ｗに平行にした後、タイル１を落とし込んで上嵌合部１２の下端をリブ２３上に載置し、上嵌合部１２を上嵌合片２２１に嵌合する（図３（ｃ））。
横方向のタイル１の間には、縦目地としてゴム等の目地材を詰めることもできる。目地材を詰めることで止水することができ、背面のレール２が表面から見えることもない。
【００１６】
本発明の取付構造はレール２にタイル１を慳貪式で固定する乾式工法のため、構造の重量が軽くなり、モルタルの施工不良や剥離のおそれがない。このため、定期打診点検を行う必要がない。
また、慳貪式のため、誰でも容易に、均一にタイル１を固定することができる。
なお、レール２は上下に平行に壁面Ｗに配設したが、レール２は縦に平行に配設し、タイル１を縦張りとしてもよい。
【００１７】
［その他実施例］
（１）弾性接着剤による固定
タイル１をレール２に嵌合する際に、タイル１の裏面に弾性接着剤４を設けておき、タイル１を弾性接着剤４を介して壁面Ｗやレール２に固定することにより、風等によるタイル１のがたつきを防止できる（図４）。
なお、弾性接着剤４に限らず、ゴム等により固定することもできる。
【００１８】
（２）レール付外装パネル
上記実施例においては、壁面Ｗにレール２を固定したが、予め複数本のレール２を取り付けた外装パネル５を壁面Ｗに取り付けて、タイル１を固定してもよい（図５）。
外装パネル５は壁面Ｗの大きさに合わせて複数枚を並べて取り付けて壁面Ｗを覆うため、壁面Ｗに対する止水を行うことができる。
外装パネル５をレール２の取付基部２１として、外装パネル５からリブ２３が突設する形状としてもよい。
【００１９】
（３）縦胴縁への取り付け
また、壁面Ｗに縦胴縁６を１次アングル６１を介して取り付けて、その上面にレール２およびタイル１を固定してもよい（図６）。
縦胴縁６により、タイル１と壁面Ｗとの間に空間Ｓが確保され、外断熱等の高機能壁に対応できる他、不陸調整が必要な壁面Ｗへの施工が可能となる。
【符号の説明】
【００２０】
１      タイル
１１    凹部
１２    上嵌合部
１３    下嵌合部
２      レール
２１    取付基部
２２    嵌合片
２２１  上嵌合片
２２２  下嵌合片
２３    リブ
３      取付ビス
４      弾性接着剤
５      外装パネル
６      縦胴縁
６１    １次アングル
【図１】
2019065644.tif 000003
【図２】
2019065644.tif 000004
【図３】
2019065644.tif 000005
【図４】
2019065644.tif 000006
【図５】
2019065644.tif 000007
【図６】
2019065644.tif 000008
【図７】
2019065644.tif 000009